(57)【要約】      （修正有）【課題】自転車を拭くためのタオルなどを直ちに取り出すことができる自転車用かごカバーを提供する。【解決手段】自転車に取り付けられるかごの前後左右の４つの側部を覆う防水性を有する筒状の本体部３と、この本体部３の上端開口を閉じるための開閉自在に構成された防水性を有する蓋部５とからなる自転車用かごカバーにおいて、本体部３の前側部及び左右側部のうちの少なくとも一側部に防水性を有する蓋付きのポケット６を取り付け、そのポケット６の蓋６Ａの表面に光反射帯７を備えさせた。【選択図】図１
0003107506.tif 000002
【実用新案登録請求の範囲】
【請求項１】
自転車に取り付けられるかごの前後左右の４つの側部を覆う防水性を有する筒状の本体部と、この本体部の上端開口を閉じるための開閉自在に構成された防水性を有する蓋部とからなる自転車用かごカバーにおいて、前記本体部の前側部及び左右側部のうちの少なくとも一側部に防水性を有する蓋付きのポケットを取り付け、そのポケットの蓋の表面に光反射帯を備えさせたことを特徴とする自転車用かごカバー。
【請求項２】
前記本体部の後側部の左右方向ほぼ中央部にそれの下端から上方に向けて切り込まれた縦向きの切り込み部を形成し、前記本体部の下端部の周縁に、紐を挿通して該本体部の下端を絞り込むための紐通し部を備えさせてなる請求項１に記載の自転車用かごカバー。
【請求項３】
前記ポケットを前記本体部に着脱自在に備えさせてなる請求項１又は２に記載の自転車用かごカバー。
【請求項４】
前記蓋部の内面に保冷剤を収納可能な収納部を備えさせてなる請求項１〜３のいずれかに記載の自転車用かごカバー。
【請求項５】
前記蓋部に前記収納部へ連通可能で開閉自在な補助蓋を備えさせてなる請求項４に記載の自転車用かごカバー。
【請求項６】
自転車のハンドルに一端が固定され、それから前側に備えているかごの前側上端までを覆う前側傾斜部と、この前側傾斜部の下端から垂下してかごの前側を覆う前側垂直部と、これら前側傾斜部及び前側垂直部の左右両端から延びてかごの左右両側を覆う左右側部とからなる防水性を有するシート状のカバー本体と、前記左右側部の後側のそれぞれに備えさせた伸縮バンドと、それら伸縮バンドの先端に取り付けられ、自転車のハンドルの後側で連結可能な連結部材とからなる自転車用かごカバーにおいて、前記前側傾斜部、前側垂直部、左右側部のうちの少なくとも一つに防水性を有する蓋付きのポケットを取り付け、そのポケットの蓋の表面に光反射帯を備えさせたことを特徴とする自転車用かごカバー。
【請求項７】
前記ポケットを前記本体部に着脱自在に備えさせてなる請求項６に記載の自転車用かごカバー。
【考案の詳細な説明】
【技術分野】
【０００１】
本考案は、自転車に備えられる前かごや後かごを被覆するための自転車用かごカバーに関する。
【背景技術】
【０００２】
上記自転車用かごカバーは、かごに収容した荷物が雨に濡れたり、上端開口部から落下することを阻止するため、あるいはひったくり等の時に容易にかごから収容物が取られないように備えさせたものである。そして、このような自転車用かごカバーには、自転車のかごに上方からすっぽり被せることができる筒状の本体部と、この本体部の上端に開閉自在な蓋部とからなる箱形状のもの（例えば特許文献１参照）や、一枚のシート状部材をハンドルから前かごに垂れかけたフックなどで固定するシート状のもの（例えば特許文献２参照）が提案されている。
【特許文献１】実開平６−８１８８５号公報（図３、図７参照）
【特許文献２】登録実用新案第３０１０２１１号公報（図１、図２参照）
【考案の開示】
【考案が解決しようとする課題】
【０００３】
上記特許文献１及び特許文献２の自転車用かごカバーによれば、かごを完全に覆ってしまうものであるため、例えば自転車を拭くためのタオルなども、かごに入れておき、必要に応じて蓋部を開放状態にしたり、フックを係止解除してシート状のカバーを捲り上げなければならず、取扱面において非常に不便であり、改善の余地があった。
【０００４】
本考案が前述の状況に鑑み、解決しようとするところは、自転車を拭くためのタオルなどを直ちに取り出すことができる自転車用かごカバーを提供する点にある。
【課題を解決するための手段】
【０００５】
本考案は、前述の課題解決のために、自転車に取り付けられるかごの前後左右の４つの側部を覆う防水性を有する筒状の本体部と、この本体部の上端開口を閉じるための開閉自在に構成された防水性を有する蓋部とからなる自転車用かごカバーにおいて、前記本体部の前側部及び左右側部のうちの少なくとも一側部に防水性を有する蓋付きのポケットを取り付け、そのポケットの蓋の表面に光反射帯を備えさせて、自転車用かごカバーを構成した。
上記のように備えさせたポケットにタオルあるいは自転車用の工具などを入れておき、必要に応じてそれらを直ちに取り出すことができる。しかも、防水性を有する蓋付きのポケットで構成することによって、ポケット内の収容物が雨に濡れてしまうことがない。又、ポケットを利用してその表面に備えさせた光反射帯にて夜間走行時においても、街灯や車の光が反射することによって、周囲に認識させることができる。
【０００６】
前記本体部の後側部の左右方向ほぼ中央部にそれの下端から上方に向けて切り込まれた縦向きの切り込み部を形成し、前記本体部の下端部の周縁に、紐を挿通して該本体部の下端を絞り込むための紐通し部を備えさせてもよい。
【０００７】
前記ポケットを前記本体部に着脱自在に備えさせてもよい。
【０００８】
前記蓋部の内面に保冷剤を収納可能な収納部を備えさせてもよい。
【０００９】
前記蓋部に前記収納部へ連通可能な開閉自在な補助蓋を備えさせてもよい。
【００１０】
自転車のハンドルに一端が固定され、それから前側に備えているかごの前側上端までを覆う前側傾斜部と、この前側傾斜部の下端から垂下してかごの前側を覆う前側垂直部と、これら前側傾斜部及び前側垂直部の左右両端から延びてかごの左右両側を覆う左右側部とからなる防水性を有するシート状のカバー本体と、前記左右側部の後側のそれぞれに備えさせた伸縮バンドと、それら伸縮バンドの先端に取り付けられ、自転車のハンドルの後側で連結可能な連結部材とからなる自転車用かごカバーにおいて、前記前側傾斜部、前側垂直部、左右側部のうちの少なくとも一つに防水性を有する蓋付きのポケットを取り付け、そのポケットの蓋の表面に光反射帯を備えさせて、自転車用かごカバーを構成してもよい。
【考案の効果】
【００１１】
ポケットを備えさせることによって、タオルあるいは自転車用の工具などを入れておくことができ、必要に応じてそれらを直ちに取り出すことができ、便利に使用することができる自転車用かごカバーを提供することができる。しかも、防水性を有する蓋付きのポケットで構成することによって、ポケット内の収容物が雨に濡れてしまうことがなく、特にタオルなどを収容する場合には有効である。又、ポケットを利用してその表面に備えさせた光反射帯にて夜間走行時においても、街灯や車の光が反射することによって、周囲に認識させることができ、安全に走行することができる。
【００１２】
本体部の後側部の左右方向ほぼ中央部にそれの下端から上方に向けて切り込まれた縦向きの切り込み部を形成することによって、下端縁の開口面積を増大させて本体部をかごに被せ易くできる。そして、本体部をかごに被せてから、本体部の下端部の周縁にの紐通し部に挿通した紐を引っ張って本体部の下端を絞り込むことによって、かごに対して本体部を上方へ移動させて取り外すことができないようにすることができる。
【００１３】
ポケットを本体部に着脱自在に備えさせることによって、本体部の任意の位置にポケットを取り付けることができる。
【００１４】
蓋部の内面に保冷剤を収納可能な収納部を備えさせることによって、夏場などの気温の高い時期においても、冷蔵商品をかごに入れて持ち帰るときにかご内の温度上昇を抑制して良好な状態で運搬することができる。蓋部に収納部へ連通可能で開閉自在な補助蓋を備えさせておけば、蓋部が閉じられた状態であっても、補助蓋を開けるだけで保冷剤の出し入れを行うことができる。
【考案を実施するための最良の形態】
【００１５】
図１に、自転車のかご１を覆って雨除け用、落下防止用、盗難防止用として使用することができる自転車用かごカバー（以下、かごカバーという）２を示している。このかごカバーは、かごの前後左右の４つの側部を覆う表面に撥水・防水加工が施されて防水性を備えるほぼ角筒状（カゴの形状によっては円筒状などであってもよい）の本体部３と、この本体部３の上端開口を閉じるために開閉手段４を介して開閉自在に構成された表面に撥水・防水加工が施されて防水性を備えるほぼ矩形状（図では長方形であるが、かごの形状によっては正方形やハート形などであってもよい）の蓋部５とを主要構成部材として備えている。図では前側のかごを覆うかごカバーを示しているが、後側のかごを覆うかごカバーであってもよい。
【００１６】
前記蓋部５の４辺の周縁のうちの後側辺部と前記本体部３の後側部の上端とを連結してあり、そして、残りの蓋部５の３辺の周縁に沿って一列状に多数の務歯が取り付けられた布などでなる帯材を縫い付け、これに対向するように前記本体部３の前側部と左右両側部の上端とに渡って一列状に多数の務歯が取り付けられた布などでなる帯材を縫い付け、それら両務歯同士を互いに噛み合わせたり離脱させたりして開閉するためのファスナーを備えさせて、前記開閉手段４を構成しているが、ボタンやホックあるいは面ファスナーなどから開閉手段４を構成してもよい。
【００１７】
図１に示すように、前記本体部３の前側部に、表面に撥水・防水加工が施されて防水性を備えるほぼ矩形状（Ｕ字状や台形状あるいはフラスコ形状など、どのような形状であってもよい）の蓋付きポケット６を取り付け、前記ポケット６の上端開口部を閉じるための長方形状（楕円形や円弧形状など、どのような形状であってもよい）の蓋６Ａに左右方向に延びる光反射帯７を接着剤又は縫着により固定している。前記本体部３の前側部に取り付けたポケット６を、図２に示すように、本体部３の左側部に取り付けてもよいし、図示していないが、本体部３の右側部に取り付けてもよいし、前側部、左側部、右側部のうちの少なくとも２つ以上にポケット６を取り付けてもよい。又、一つの側部に２つ以上のポケットを取り付けて実施してもよい。前記ポケット６の上側表面及びこれに対応する前記蓋６Ａの裏面に、両者を固定及び固定解除自在にするための面ファスナー６Ｓを備えさせているが、ボタンやホックあるいはファスナーなどでもよいし、場合によっては省略してもよい。前記ポケット６を本体部３に面ファスナーやホックあるいはファスナーを介して着脱自在に備えさせることによって、本体部３の任意の位置（面ファスナーやホックあるいはファスナーが取り付けられた位置）にポケット６を取り付けることができるようにしてもよい。
【００１８】
前記光反射帯７は、光が入射した方向に光を高輝度にキラキラ反射する性質を有する光反射テープや、蓄光塗料を布や合成樹脂などに塗布して光を吸収して蓄え、蓄えた時間のみ発光する蓄光テープなどを含むものである。
【００１９】
図２に示すように、前記本体部３の後側部の左右方向ほぼ中央に、縦向きの切り込み部３Ｋを上下方向ほぼ中央から下端に向けて形成している。この切り込み部３Ｋを形成することによって、前かご１とハンドル８とを連結している金具（図示せず）を逃がすことができるだけでなく、下端開口面積を大きくして前かごに上方から本体部３を容易に被せることができるようにしている。そして、本体部３を前かご１に被せてから、本体部３の下端部の周縁の紐通し部３Ｈに挿通した紐９を引っ張って本体部３の下端を絞り込むことによって、前かご１に対して本体部３を上方へ移動させて取り外すことができないようにしている。図２に示す１０は、前記紐９を引き出してその引き出した位置にて固定するための固定具であるが、他の構成のものであってもよい。
【００２０】
図３及び図４に示すように、前記蓋部５の内面に保冷剤（図示せず）を収納可能な収納部１１を備えさせることによって、夏場などの気温の高い時期においても、冷蔵商品をかごに入れて持ち帰るときにかご内の温度上昇を抑制して良好な状態で運搬することができるようにしてもよい。図３では、蓋部５に、下面部がメッシュ状部（網状部）１１Ｃとなった収納部１１の上方に位置させることにより収納部１１の内部空間へ外部が連通可能となる補助蓋１２を、ファスナーなどの開閉手段１３を介して開閉自在に備えさせておけば、蓋部５が閉じられた状態であっても、補助蓋１２を開けるだけで保冷剤の出し入れを行うことができる利点がある。図４では、下面部をメッシュ状部（網状部）１１Ｃとした蓋付きのポケットから構成し、蓋部１１Ａを本体部１１Ｂに面ファスナー１４，１４を介して固定及び固定解除自在に構成している。前記収納部１１を備えさせる場合には、かごの下面も覆うための底板部を備えさせることによって、保冷効果を高めるようにしてもよい。
【００２１】
前記かごカバー２を、図５及び図６に示すように、構成してもよい。つまり、自転車のハンドル８の左右端部側に取り付けられた取付金具１５，１５に一端をそれに形成の左右一対の孔１６，１６を介して係止固定し、それから前側に備えているかごの前側上端までを覆う前側傾斜部１７と、この前側傾斜部１７の下端から垂下してかごの前側を覆う前側垂直部１８と、これら前側傾斜部１７及び前側垂直部１８の左右両端から延びてかごの左右両側を覆う左右側部１９，２０とからなる防水性を有するシート状のカバー本体２１と、前記左右側部１９，２０の後側のそれぞれに備えさせた伸縮バンド２２，２３と、それら伸縮バンド２２，２３の先端に取り付けられ、自転車のハンドル８のハンドルポスト８Ｐの後側で連結可能な連結部材２４とを備え、前記前側垂直部１８に防水性を有する蓋付きのポケット（図１のものと同一構成である）６を取り付け、そのポケット６の蓋６Ａの表面に光反射帯７を備えさせて、かごカバー２を構成している。前記のようにハンドルポスト８Ｐの後側で伸縮バンド２２，２３を連結することによって、前かごにフックなどにより固定する構成の場合に、前かご内に入り込んだフックの先端によりかご内に収容した収容物を傷付けるといったことを確実に回避することができる利点がある。
【００２２】
前記ポケット６を、前側垂直部１８以外の箇所、つまり前側傾斜部１７、左右側部１９，２０のうちの少なくとも一箇所に備えさせて実施してもよい。前記かごカバー２のハンドル８への固定手段は、図５に示されるものに限定されるものではない。
【図面の簡単な説明】
【００２３】
【図１】前かごに装着する直前のかごカバーの斜視図である。
【図２】図１で示したかごカバーを斜め後ろ上方からみた斜視図である。
【図３】保冷剤を入れることができるようにした第１のかごカバーの斜視図である。
【図４】保冷剤を入れることができるようにした第２のかごカバーの斜視図である。
【図５】別の構成のかごカバーを前かごに装着する直前の状態を示す斜視図である。
【図６】図５で示したかごカバーを前かごに装着した状態を示す斜視図である。
【符号の説明】
【００２４】
１  前かご
２  かごカバー
３Ｋ  切り込み部
３Ｈ  紐通し部
３  本体部
４  開閉手段
５  蓋部
６  ポケット
６Ａ  蓋
６Ｓ  面ファスナー
７  光反射帯
８  ハンドル
８Ｐ  ハンドルポスト
９  紐
１１Ａ  蓋部
１１  収納部
１１Ｂ  本体部
１２  補助蓋
１３  開閉手段
１４  面ファスナー
１５  取付金具
１６  孔
１７  前側傾斜部
１８  前側垂直部
１９，２０    左右側部
２１  カバー本体
２２，２３    伸縮バンド
２４  連結部材
【図１】
0003107506.tif 000003
【図２】
0003107506.tif 000004
【図３】
0003107506.tif 000005
【図４】
0003107506.tif 000006
【図５】
0003107506.tif 000007
【図６】
0003107506.tif 000008